(57)【要約】      （修正有）【課題】単数売りに加えるのに多本数の一挙販売を可能にし、公の使用に対応できる自動販売機の提供。【解決手段】従来の自販機に多本数収納ボックス２を必要個数合体組合せまた購入本数分の領収書が発行できる機能３，４をもたせる。【選択図】図１
0003121605.tif 000002
【実用新案登録請求の範囲】
【請求項１】
飲料用自動販売機本体に保管庫を取り付けた自動販売機、取り付け場所は、側面、両側面、底部、上部いずれでもよく取り付け個数も単数庫・複数庫いくつでもよい、又、保管庫は加冷および加温の機能と残量確認装置、各開閉扉に単独鍵領収書発券機などがある。
【考案の詳細な説明】
【技術分野】
【０００１】本考案は汎用飲料用自動販売機の側壁部または底部または上部背面部、あるいはそのすべて（以下、側壁部等という）に保管庫を取り付けた販売機に関するものである。
【背景技術】
【０００２】宿泊人等が室内で利用する飲料自動販売機は、宿泊人という限定された人が、その精算実務の合理化、チェックの簡素化等のの目的で使用されているが、いわゆる一般汎用飲料自動販売機は、特定範囲内の複数利用者、あるいは不特定な一般利用者を対象に屋内・屋外に設置されている。
本考案は、それら汎用飲料用自動販売機の側壁部等に保管庫を取り付け、消費者が一時に多量の商品を必要とする場合、或は販売者が詰め替え回数を少なくしたいと言う要求を可能にした飲料用販売機の新機種である。
【考案の開示】
【考案が解決しようとする課題】
【０００３】近年、来客用、会議用等へのペットボトル飲料、缶飲料の利用が労務費コストの削減、廃棄物対策、衛生面、等の理由で供されることが多くなってきた。
（一）その調達には、担当者が都度購入に行くとか、社用冷蔵庫にて冷蔵保管された一括購入品、あるいは既設置飲料用自動販売機から一本ずつ、小銭を投入して確保していた。
（二）自動販売機納入業者あるいは設置業者、その商品は会議用飲料納入業者と領収書の発行上、必ずしも一致している訳ではなく、会議用等に利用する者には不便であった。
（三）商品納入業者は、販売量の多いところは詰め替え作業も頻雑でその作業回数の省力化はとりもなおさず労務経費の削減、電力量の削減につながることになる。
（四）空間および設置面積の効果的利用により、別途所有する冷蔵庫・湯沸し設備等を省くことができる。
（五）高額地代・家賃の場所において空間利用とその占有面積は経費の削減・労働環境改善に役立つ。
【課題を解決するための手段】
【０００４】（一）自動販売機の側壁部等に多本数の収納・保管可能な開閉扉付の単数・複数保管庫を取り付ける。
（二）各保管庫開閉扉には、鍵を付ける。
（三）その保管庫は、加冷・加温可能な機能を有する。
（四）在庫数量を計算表示する機能を有する。
（五）領収書発行する機能を有する。
【考案の効果】
【０００５】（一）納入方法の統一、分離が可能、（商品の分離発注が可能）
（二）納品業者の詰め替え等の手間の省力化
（三）合体により電力負担・空間利用の軽減
（四）計量器によるストックの確認・補充の合理化
（五）領収書発行機があることにより、社用利用が増す。
【考案を実施するための最良の形態】
【０００６】設置に対する合理的配置の工夫
（一）地代・家賃の高額な都市ビル内オフィス内
（二）会議・来客の多い事務所・会議室近く【０００７】効率的な電力消費対策として、動力源は統合、各分離庫は切り替えスイッチにより、オン・オフ装置をつける。【０００８】各分離庫ごとに精算可能な領収書発券機をつける
【実施例】
【０００９】自販機設置場所により機能の取り付け要・不要、それに伴う機種製造コスト検討の上実施する。
【産業上の利用可能性】
【００１０】（一）納入者・購買者ともに経費の削減とそれに伴う商品流通促進効果
（二）環境対策（イ）廃棄物の合理的回収
（ロ）省エネルギーによる地球温暖化防止
（ハ）衛生管理
【図面の簡単な説明】
【図１】飲料用自動販売機（機能内容は省略）側壁部に保管庫を合体させたものを斜め側面からみた立体図である（保管庫の機能内容は省略）
【符号の説明】
１は従来の自動販売機と合体する保管庫である
上部・底部・両側面・背面に合体させることができるが、例示として自動販売機側面合体のものを図示する
合体すべき保管庫の数、大きさ、広さは、任意である。
２は保管庫の開閉扉である。
３は開閉扉の鍵部である。
４は領収書発券機部である。
５は冷却・加温・常温切り替えスイッチ部である。
６は収納品の在庫計量メーター部である。
各機能の取り付け部は、単なる例示である。
７は従来の飲料用自動販売機部である。
【図１】
0003121605.tif 000003
【手続補正書】
【提出日】平成18年1月27日(2006.1.27)
【手続補正１】
【補正対象書類名】実用新案登録請求の範囲
【補正対象項目名】全文
【補正方法】変更
【補正の内容】
【実用新案登録請求の範囲】
【請求項１】
単品売りの飲料用自動販売機に、多本数収納可能な箱を組合せ、合体させ、かつ、販売の際に領収書を発行できる機能を有する構造をもつ自動販売機。
【手続補正２】
【補正対象書類名】明細書
【補正対象項目名】全文
【補正方法】変更
【補正の内容】
【考案の詳細な説明】
【技術分野】
【０００１】  本考案は汎用飲料用自動販売機の側壁部または底部または上部背面部、あるいはそのすべて（以下、側壁部等という）に保管庫を取り付けた販売機に関するものである。
【背景技術】
【０００２】  宿泊人等が室内で利用する飲料自動販売機は、宿泊人という限定された人が、その精算実務の合理化、チェックの簡素化等のの目的で使用されているが、いわゆる一般汎用飲料自動販売機は、特定範囲内の複数利用者、あるいは不特定な一般利用者を対象に屋内・屋外に設置されている。
本考案は、それら汎用飲料用自動販売機の側壁部等に保管庫を取り付け、消費者が一時に多量の商品を必要とする場合、或は販売者が詰め替え回数を少なくしたいと言う要求を可能にした飲料用販売機の新機種である。
【考案の開示】
【考案が解決しようとする課題】
【０００３】  近年、来客用、会議用等へのペットボトル飲料、缶飲料の利用が労務費コストの削減、廃棄物対策、衛生面、等の理由で供されることが多くなってきた。
（一）その調達には、担当者が都度購入に行くとか、社用冷蔵庫にて冷蔵保管された一括購入品、あるいは既設置飲料用自動販売機から一本ずつ、小銭を投入して確保していた。
（二）自動販売機納入業者あるいは設置業者、その商品は会議用飲料納入業者と領収書の発行上、必ずしも一致している訳ではなく、会議用等に利用する者には不便であった。
（三）商品納入業者は、販売量の多いところは詰め替え作業も頻雑でその作業回数の省力化はとりもなおさず労務経費の削減、電力量の削減につながることになる。
（四）空間および設置面積の効果的利用により、別途所有する冷蔵庫・湯沸かし設備等を省くことができる。
（五）高額地代・家賃の場所において空間利用とその占有面積は経費の削減・労働環境改善に役立つ。
【課題を解決するための手段】
【０００４】  （一）単品飲料用自動販売機に多本数収容可能なボックスを取り付ける。
（二）販売本数に応じた領収書発行が出来る機能をもたせる。
【考案の効果】
【０００５】  （一）納入方法の統一、分離が可能、（商品の分離発注が可能）
（二）納品業者の詰め替え等の手間の省力化
（三）合体により電力負担・空間利用の軽減
（四）計量器によるストックの確認・補充の合理化
（五）領収書発行機があることにより、社用利用が増す。
【考案を実施するための最良の形態】
【０００６】  設置に対する合理的配置の工夫
（一）地代・家賃の高額な都市ビル内オフィス内
（二）会議・来客の多い事務所・会議室近く【０００７】  効率的な電力消費対策として、動力源は統合、各分離庫は切り替えスイッチにより、オン・オフ装置をつける。【０００８】  各分離庫ごとに精算可能な領収書発券機をつける
【実施例】
【０００９】  自販機設置場所により機能の取り付け要・不要、それに伴う機種製造コスト検討の上実施する。
【産業上の利用可能性】
【００１０】  （一）納入者・購買者ともに経費の削減とそれに伴う商品流通促進効果
（二）環境対策（イ）廃棄物の合理的回収
（ロ）省エネルギーによる地球温暖化防止
（ハ）衛生管理
【図面の簡単な説明】
【００１１】
【図１】従来の汎用飲料用自動販売機（内部等詳細絵省略）に、多本数収容可能なボックス（個数は随意）を合体（この図では３個）  領収書発券機（設置場所は随意）、を取り付けたものを斜め上部側面から見た立体図である。
【符号の説明】
１  は従来の単数売り飲料用自動販売機部である。
２  は従来の自動販売機と合体する多本数収容ボックスである。
庫の数、大きさ、広さは任意で収容本数も自在である。
３  は領収書発券機収納部である。
取り付け場所は、収納ボックスとの兼ね合いにより随意。
４  領収書取り出し部である。
取り付け場所は、収納ボックスとの兼ね合いにより随意。
【手続補正３】
【補正対象書類名】図面
【補正対象項目名】全図
【補正方法】変更
【補正の内容】
【図１】
0003121605.tif 000004